(57)【要約】【課題】ケース部材の更なる薄型化、あるいは内包する二次電池の重量増加が進んでも、いわゆる爪嵌合手段という簡易な締結手段を維持しながら、当該締結が解けることを抑制することのできるパック電池を提供する。【解決手段】ケース部材１０，２０の開口部１４，２１同士を突き合わせる方向に、互いに嵌合する突出部１６，１７，１８と開口部２６，２７，２８とをケース部材１０，２０それぞれの開口部１４，２１近傍の側壁、あるいは壁部に配し、突出部１６，１７，１８の突出量を異ならせた。【選択図】図３
2007311301.tif 000002
【特許請求の範囲】
【請求項１】
２つのケース部材が互いに開口部を突き合わせることによって二次電池を内包してなるパック電池であって、
各ケース部材の側壁には、係合突出部と、当該係合突出部の突出量を掛かり代として当該係合突出部と嵌合する係合受部とが組を成して設けられ、当該突き合わせ方向に、前記組が複数並設されており、
並設された前記係合突出部のうち少なくとも一つの突出量が他のそれと異なることを特徴とするパック電池。
【請求項２】
前記突出量に対応して、前記少なくとも一つの前記突合せ方向での裾の長さが前記他のそれと異なることを特徴とする請求項１に記載のパック電池。
【請求項３】
前記２つのケース部材のうち、一方のケース部材の内底面からは、その側壁と並行するように壁部が立設され、他方のケース部材の側壁先端が、前記一方のケース部材の側壁と前記壁部との間に嵌入しており、
前記他方のケース部材の側壁と前記一方のケース部材の側壁あるいは前記壁部の少なくとも一方との間で対向する側面には、係合突出部と、当該係合突出部の突出量を掛かり代として当該係合突出部と嵌合する係合受部とが組を成して設けられ、前記突き合わせ方向に、前記組が２組以上並設されていることを特徴とする請求項１または２に記載のパック電池。
【請求項４】
前記並設された係合突出部のうちその突出量の最も大きい係合突出部が前記他方のケース部材の側壁先端側に設けられていることを特徴とする請求項１から３いずれかに記載のパック電池。
【請求項５】
前記並設された係合突出部のうちその突出量のもっとも大きい係合突出部が前記他方のケース部材の側壁基側に設けられていることを特徴とする請求項１から３いずれかに記載のパック電池。
【請求項６】
前記係合突出部は、前記他方のケース部材の側壁にのみ配されており、かつ、前記側壁の側面のうちいずれか一方にのみ設けられていることを特徴とする請求項３から５のいずれかに記載のパック電池。
【請求項７】
２つのケース部材が、互いに開口部を突き合わせることによって二次電池を内包してなるパック電池であって、
前記２つのケース部材のうち、一方のケース部材の内底面には、その側壁と並行するように壁部が設けられ、他方のケース部材の側壁先端が、前記他方のケース部材の側壁と前記壁部との間に嵌入しており、
前記一方のケース部材の側壁と前記他方のケース部材の側壁との間で対向する側面では、互いに嵌合する係合突出部、係合受部が第一組を成して配され、
前記他方のケース部材の側壁と前記壁部との間で対向する側面では、互いに嵌合する係合突出部、係合受部が第二組を成して配されていることを特徴とするパック電池。
【請求項８】
前記第一組と前記第二組とは、当該嵌入方向にずれるように配されていることを特徴とする請求項７に記載のパック電池。
【請求項９】
前記嵌入方向に並設されている係合突出部は、全てその突出量が同じであることを特徴とする請求項７または８に記載のパック電池。
【請求項１０】
前記係合突出部は、前記側面に沿って、かつ前記嵌入方向と垂直な方向に壁状に設けられ、前記係合突出部と嵌合可能に前記係合受部が前記側面に沿って溝状に設けられていることを特徴とする請求項１から９のいずれかに記載のパック電池。
【発明の詳細な説明】
【技術分野】
【０００１】
本発明は、ケースに二次電池を内蔵してなるパック電池に関し、特に、ケース同士の締結手段に関する。
【背景技術】
【０００２】
ケースに二次電池を内蔵してなるパック電池では、一般に当該ケースが２つの部材からなる。
当該パック電池の製造工程においては、一般にまずケースを構成する一方の部材に保護回路配設済みの基板や二次電池などを収納し、これら収納部品を内包するように当該一方の部材に他方の部材を張り合わせて、これら部材同士の接触箇所を超音波溶着やねじ止め等で締結して、パック電池を完成させる。
【０００３】
このパック電池では、収納部品を交換することは想定されておらず、したがって、上記締結が堅牢であればあるほど好ましい。
当該締結手段においては、量産性の観点から、簡素化が模索されており、その有力な候補として、一方の部材に爪状の突出部を設け、他方の部材に当該爪状突出部と嵌合する受部を設ける、いわゆる爪嵌合方式が挙げられる。
【０００４】
一方、近年、パック電池を使用する電気機器の小型化が推進され、これに伴ってパック電池に対して更なる小型・軽量化の要求が高まっており、当該要求に応える一手段として、そのケースの厚みを減らすことが考えられるが、それに伴って、落下等の衝撃がケースに加わる状況を想定したとき、ケースの変形を容易に誘発し、爪状突出部がこれと嵌合していた受部から抜け易くなる。
【０００５】
そして、他方では、パック電池に対する大出力の要求から、パック電池を構成する二次電池の重量が増加する傾向もある。爪嵌合方式を採用したケースに内包される二次電池において、その重量が増加すると、落下等の衝撃がパック電池のケースに加わるとき、ケースが変形し易く、爪状突出部がこれと嵌合していた受部から抜け易くなる。
すなわち、これらいずれかの傾向が増大する場合、ケースを構成する部材同士の締結が解けやすくなる傾向となって、ケース内に収納された部品が飛び出す危険が大きくなって好ましくない。
【０００６】
この問題を解決する手段として、ケース内の空間を仕切る隔壁に嵌合手段を設けたパック電池が提案されている（特許文献１）。
【特許文献１】特開２００１−３０７６９５号公報
【発明の開示】
【発明が解決しようとする課題】
【０００７】
しかしながら、今後、パック電池の小型・軽量化が推進されて、ますますパック電池のケースの肉厚が削減され、あるいはパック電池の大出力化が推進されて、ますますパック電池の重量が増加すると、落下等の衝撃がパック電池のケースに加わるとき、ケースの変形量はますます増大し、ケースを構成する部材同士の締結状態を維持するためには、特許文献１に記載の発明では不十分であるという問題がある。
【０００８】
本発明は、上記問題点に鑑みて成されたものであり、ケースを構成する部材同士の締結手段の簡素化を損なうことなく、ケースを構成する部材同士の締結が解けることを抑制できるパック電池を提供することを目的とする。
【課題を解決するための手段】
【０００９】
上記目的を達成するため、本発明に係るパック電池では、２つのケース部材が、互いに開口部を突き合わせることによって二次電池を内包してなるパック電池に対し、各ケース部材の側壁には、係合突出部と、当該係合突出部の突出量を掛かり代として当該係合突出部と嵌合する係合受部とを、一組になるように設け、当該突合せ方向に、上記組を２組以上並設させ、並設させた上記係合突出部うち少なくとも一つの突出量が他のそれと異なるようにした。
【００１０】
また、本発明に係るパック電池では、２つのケース部材が、互いに開口部を付き合わせることによって二次電池を内包してなるパック電池に対し、一方のケース部材の内底面には、その側壁と並行するように壁部を設け、他方のケース部材の側壁先端を、上記一方のケース部材の側壁と上記壁部との間に嵌入させており、上記一方のケース部材の側壁と上記他方のケース部材の側壁との間で対向する側面では、互いに嵌合する係合突出部、係合受部が第一組を成すようにして配し、上記他方のケース部材の側壁と上記壁部との間で対向する側面では、互いに嵌合する係合突出部、係合受部が第二組を成すようにして配し、上記第一組と上記第二組とを、当該嵌入方向にずれるように配した。
【発明の効果】
【００１１】
本発明に係るパック電池では、２組以上の係合突出部、係合受部を上記突合せ方向に並設させたので、ケースが変形する状態を想定した場合に、いずれかの係合突出部がそれまで嵌合していた係合受部から抜けても、他の係合突出部が、嵌合する係合受部から抜けることを抑制することができる。
したがって、本発明にかかるパック電池では、従来のパック電池と比べて、いわゆる爪嵌合手段を維持しながら、上記係合突出部が上記係合受部から抜けることを抑制することができるので、締結手段の簡素化を損なうことなく、ケース部材同士の締結が解けることを抑制することができる。
【００１２】
また、本発明に係るパック電池では、並設させた係合突出部のうち少なくとも一つの突出量を他のそれと異なるようにしたので、上記他の係合突出部の突出量と上記少なくとも一つの係合突出部のそれとを対比したときに大小関係を形成することができ、さらに抜け防止効果を向上させることができる。
上記少なくとも一つにおいて、上記突出量に対応させて、上記係合突出部の上記突合せ方向での裾の長さが他の係合突出部のそれと異なるようにすると、上記突出量を係合突出部ごとに異ならせても、上記ケース部材の側壁に対して、上記係合突出部の頭頂からその裾に至るまでの傾斜面の角度を係合突出部ごとに同等の大きさに、かつゆるやかにすることができるので、上記ケース部材同士を締結する際に上記係合突出部と上記係合受部とを嵌合させることが容易になり、組み立て作業の効率を向上可能なパック電池を実現することができる。
【００１３】
従来のパック電池では、上記突き合わせ方向に１組の係合受部、係合突出部を設けて、これらを用いてケース部材同士を締結させており、ケース部材同士を精度良く締結するためにこれらに位置決め機能を与えていた。
上記目的を達成するには、上記突き合わせ方向に１組の係合突出部、係合受部を設けて、係合突出部の突出量を単純に大きくして、これに対応させて上記裾の長さを大きくすることも考えられる。しかしながら、単純に大きくすると寸法公差も大きくなる。すなわち、突出量を小さくすればするほど係合突出部およびこれに対応する係合受部では、寸法公差が小さくて済むので、位置決め機能を付与することができるが、反面、小さいために抜け防止機能を付与することができない。これに対して、突出量を大きくすればするほど係合突出部およびこれに対応する係合受部では、寸法公差が大きくなるので、位置決め機能を付与できないが、反面、大きいために抜け防止機能を付与することができる。したがって、上記突き合わせ方向に１組の係合突出部、係合受部を設けて、これに位置決め機能および抜け防止機能を与え、かつこれらを嵌合容易にするのは困難である。
【００１４】
これに対して、上記のような構成を採用すると、上記各ケース部材の側壁に複数組の係合突出部、係合受部を並設させているので、いずれかの係合突出部の上記突合せ方向での裾の長さが他の係合突出部のそれと比べて大きくなることが想定され、当該裾の長さが大きくなると、それに対応して寸法公差が大きくなるが、上記突合せ方向での裾の長さの大きい係合突出部、当該係合突出部に嵌合する係合受部に抜け防止機能を付与し、これに対して他の係合突出部での上記突合せ方向での裾の長さを小さくして寸法公差を小さくすることができ、当該係合突出部と、これと嵌合する係合受部とに位置決め機能を付与することができる。
【００１５】
すなわち、上記構成を採用することによって、機能分担させることができ、位置決め精度を悪化させることなく、ケース部材同士の締結が解けることを抑制することができる。
具体的には、本願発明において、上記従来のパック電池における係合突出部の突出量と同等の突出量に設定された係合突出部、ならびにその突出量に対応してこれを飲み込む、すなわち当該突出部の突出量を掛かり代となるように設定された係合受部を、上記側面に配し、これより突出量の大きい係合突出部、ならびにその突出量に対応してこれを飲み込む、すなわち当該突出部の突出量を従来のものよりも大きしてこれを掛かり代として設定された係合受部を少なくとも一組当該側面に配して、かつ当該突出量の増分に対応させて上記裾の長さを大きくすることにより、上記従来のパック電池に比べて、位置決め精度を悪化させることなく、ケース部材同士の締結が解けることを抑制することができる。
【００１６】
上記並設させた係合突出部のうちその突出量の最も大きい係合突出部を、上記他方のケース部材の側壁先端側に設け、あるいは、上記他方のケース部材の側壁基側に設け、これと対応する位置に当該係合突出部をもっとも大きく飲み込む、すなわち掛かり代が最も大きい係合受部を設けることによっても、同様に、ケース部材同士の締結が解けることを抑制することができる。
【００１７】
上記係合突出部を、上記他方のケース部材の側壁にのみ配し、かつ上記側壁の側面のうちいずれか一方にのみ設けても、上記と同様の効果を発揮することができる。この場合には、上記他方のケース部材の側壁面の内外両方に上記係合突出部が設けられている場合に比べて、係合突出部の配設数を低減させることができるので、歩留まりの向上、量産性の向上を図ることができ、好ましい。
【００１８】
また、本発明に係るパック電池では、上記他方のケース部材の側壁先端を上記一方のケース部材の側壁と上記壁部との間に嵌入させ、上記一方のケース部材の側壁と上記他方のケース部材の側壁との間で対向する側面では、互いに嵌合する係合突出部、係合受部が第一組を成すようにして配し、上記他方のケース部材の側壁と上記壁部との間で対向する側面では、互いに嵌合する係合突出部、係合受部が第二組を成すようにして配したので、締結手段の簡素化を損なうことなく、ケース部材同士の締結が解けることを抑制することができる。
【００１９】
本発明は、ケースが変形する状態にあっても、ケース部材同士の締結が解けることを抑制することを目的としているが、具体的に当該ケース変形状態を想定するとき、上記一方のケース部材の側壁と上記壁部との間に嵌入する、上記他方のケース部材の側壁が、当該一方のケース部材の側壁あるいは当該壁部のいずれか一方を押圧して、上記一方のケース部材の側壁と上記壁部との間隙を拡げる状況を想定することができる。
【００２０】
本発明では、上記構成を採用したので、当該状況を想定したとき、上記一方のケース部材の側壁と上記他方のケース部材の側壁との間で対向する側面、あるいは上記他方のケース部材の側壁と上記壁部との間で対向する側面のいずれかで、互いに嵌合する係合突出部、係合受部が互いに押圧された状態となるので、締結手段の簡素化を損なうことなく、ケース部材同士の締結が解けることを抑制することができる。
【００２１】
上記各突出部の突出量はそのままに、上記第一組と上記第二組とを、当該嵌入方向にずれるように配すると、当該嵌入時において、当該他方のケース部材の側壁およびその壁部を押し広げる角度が狭くても上記突出部と受部とを嵌合させることができ、すなわち当該嵌合動作を容易にすることができるので、生産効率の観点から好ましい。
上記突出部の突出量を全て同じにすれば、加工精度を悪化させることなく、上記突出部を形成することができ、量産性の向上、歩留まり向上を図ることができ、好ましい。
【００２２】
特に、上記突出部において、位置決め機能を発揮する限度で全ての突出量を同じに定めれば、量産性の向上、歩留まり向上を図ることができる。
上記突出部、受部をそれぞれ、上記側壁、側面に沿って壁状に設けると、さらに、上記突出部が上記受部から抜け難くなって、好ましい。
【発明を実施するための最良の形態】
【００２３】
以下、本発明に係るパック電池の一例を挙げ、これを適宜、図面を用いて説明する。
（実施の形態１）
図１は、本実施の形態におけるパック電池の概略分解図であり、図２（ａ）は、本実施の形態におけるパック電池の概略斜視図であり、（ｂ）は、(ａ)で示したＡ断面における概略拡大矢視図である。
【００２４】
図１に示すように、本実施の形態に係るパック電池１では、２つのケース部材１０，２０がそれらの開口部１１，２１を突き合わせて成るケース５０（図２（ａ）参照）内に二次電池３０と基板４０とが内包されている。
基板４０には、図１で図示していない側の主面に、二次電池３０とケース５０外方との電気接続を可能にするコネクタ４１と、図示していない保護回路等とが設けられており、不図示の保護回路を介して二次電池３０とコネクタ４１とが電気的に接続されている。
【００２５】
具体的には、ケース５０は、その長手方向に、第１ケース部材１０と第２ケース部材２０とに２分割できる。そして、開口部２１から内底までの距離が短い、すなわち底の浅い第２ケース部材２０の内側主面に隔壁２２が立設されており、二次電池３０がケース５０に内包されたとき隔壁２２が二次電池３０のそれぞれを隔離するように位置決めする。
第１ケース部材１０では、その開口部１１から内底までの距離が第２ケース部材２０のそれに比べて長く、すなわち底が深く、第１ケース部材１０が収納物をすっぽり覆うように第２ケース部材２０と互いに開口部１１，２１を対向させて突き合わされ、これらが互いに開口部１１，２１で嵌合し、締結されてパック電池１となる。当該嵌合構造については、後に詳細に説明する。
【００２６】
第２ケース部材２０には、基板４０に設けられたコネクタ４１と対応した位置に第２の開口部２３が設けられており、図２（ａ）に示すように、収納物がケース５０に収まったとき、第２の開口部２３を経由してコネクタ４１の一部がケース５０外方に露出した状態となる。
図１に示すように、本実施の形態では、第２ケース部材２０の内底面に、その側壁と並行する壁部２５が設けられ、かつ当該壁部２５においてその長手方向および短手方向に開口部２６，２７が設けられている。図１では表れていないが、第１ケース部材１０の側壁端部１４の内面において、上記開口部２６，２７に嵌合するようにその長手方向および短手方向に突出部１６，１７（図３参照）が設けられている。
【００２７】
第１ケース部材１０の開口部１１と第２ケース部材２０の開口部２１とが突き合わされて図２（ｂ）に示すように、Ｂ領域において当該側壁端部１４が第２ケース部材２０の側壁とその壁部２５との間に形成された溝部２４に嵌入する。
図３（ａ）は、図２（ｂ）のＢ領域を拡大した概略断面図であり、図３（ｂ）は、図２（ｂ）のＢ領域においてケース５０の変形状態を想定したときの概略拡大断面図であり、図３（ｃ）は、図２（ｂ）のＢ領域の他のバリエーションを示す概略拡大断面図である。なお、説明の便宜上、図３の各拡大図では、二次電池３０を省略している。
【００２８】
第１ケース部材１０と第２ケース部材２０との締結部分を具体的に説明すると、図３に示すように、第２ケース部材２０では、その長手方向に伸びる側壁に沿ってこれと並行するように壁部２５が第２ケース部材２０の内底に立設されている（図１の部分拡大図参照）。
図３(ａ)に示すように、当該壁部２５には、その短手方向に並ぶように２つの開口部２６，２７が設けられており、これら２つの開口部２６，２７を一組と見立てると、当該壁部２５の長手方向に並べたように複数組が配されている(図１参照)。
【００２９】
そして、第１ケース部材１０の側壁端部１４が、第２ケース部材２０の内底面および側壁とその壁部２５とで構成された溝部２４に嵌入されている。
嵌入された当該側壁端部１４には、その内側面において、第１ケース部材１０と第２ケース部材２０とを互いに開口部１１，２１で突合せた方向、別言すると上記嵌入方向、具体的にはケース５０の短手方向に並ぶように２つの突出部１６，１７が設けられており、これら２つの突出部１６，１７を一組と見立てると、ケース５０の長手方向に並べたように複数組が配されている。
【００３０】
第１ケース部材１０の側壁端部１４が第２ケース部材２０の溝部２４に嵌入された状態において、ケース５０の短手方向では、第１ケース部材１０の２つの突出部１６，１７の各々が対応した位置関係にある第２ケース部材２０の２つの開口部２６，２７のそれぞれに嵌合して、第１ケース部材１０と第２ケース部材２０とが締結された状態となっている。
【００３１】
すなわち、ケース５０の短手方向において、突出部１６（１７）とこれを受ける開口部２６(２７)とを１組と見立てると、その組が複数並設された状態となっている。
当該１組を構成する突出部１６（１７）と開口部２６（２７）との間では、当該突出部１６（１７）がほぼ完全に開口部２６（２７）に飲み込まれた状態となっており、突出部１６（１７）の突出量が開口部２６（２７）の掛かり代となっている。
【００３２】
なお、「掛かり代」とは、突出部１６（１７）が開口部２６（２７）の内方に飲み込まれた量を意味する。
本実施の形態では、ケース５０の短手方向において、第１ケース部材１０の突出部１６，１７の大きさが異なっており、当該突出部１６，１７の大きさに対応して第２ケース部材２０の開口部２６，２７の大きさが異なっている。
【００３３】
具体的には、第１ケース部材１０の長手方向に伸びる側壁の内面からの突出量については、ケース５０の短手方向に並ぶ当該突出部１６，１７同士を比較すると、当該側壁端部１４の基側に配された当該突出部１７が、当該側壁端部１４の先端側に配された当該突出部１６と比べて、大きい。なおかつ当該突出部１６，１７同士において、ケース５０の短手方向におけるそれらの裾の長さＬ１６，Ｌ１７を比較すると、突出部１７の裾の長さＬ１７が突出部１６の裾の長さＬ１６に比べて大きい。そして、第２ケース部材２０の短手方向に並ぶ当該開口部２６，２７同士において、ケース５０の短手方向におけるそれらの開口長さＤ２６，Ｄ２７を比較すると、開口部２７の開口長さＤ２７が開口部２６の開口長さＤ２６と比べて大きい。
【００３４】
本実施の形態において、ケース５０の変形に起因して第１ケース部材１０と第２ケース部材２０との締結が解かれる場合について、どのような状況が考えられるか具体的に想像を試みると、第１ケース部材１０および第２ケース部材２０においてその長手方向に伸びる側壁がその側壁主面に垂直な方向に変形することに起因して、これらの締結が解かれる場合が最も多いであろうと想像できる。
【００３５】
すなわち、ケース５０の短手方向の切断面を想像するとき、第１ケース部材１０、第２ケース部材２０それぞれの底側の無限遠に存在することが想像可能な中心点を基準に、ケース５０の長手方向に伸びる各側壁が当該想像平面上を回転するように変形することが最も多いと考えることができる。
本実施の形態では、上述したように、第１ケース部材１０の突出部１６，１７それぞれの大きさがケース５０の短手方向において異なっており、これに対応させて第２ケース部材２０の開口部２６，２７それぞれの大きさもケース５０の短手方向において異なっているため、具体的には当該側壁端部１４の基側に配された突出部１７が当該側壁端部１４の先端側に配された突出部１６に比べて側壁主面からの突出量が大きいので、図３（ｂ）に示すように、上記変形態様を想定したとき、当該先端側の突出部１６が第２ケース部材２０の開口部２６から抜けた場合でも、当該側壁端部１４の基側の突出部１７が第２ケース部材２０の開口部２７に確実に嵌合して、そこから抜けない状況を作り出すことができる。
【００３６】
そして、ケース５０の短手方向において、当該突出部１７の裾の長さＬ１７が当該突出部１６の裾の長さＬ１６に比べて大きいので、それぞれの突出量が異なっていても、第１ケース部材１０の側壁に対して、それらの頭頂から裾に至るまでの傾斜面の角度を同等にすることができ、すなわち、当該突出部１６，１７をケース５０の短手方向において相似形にすることができ、ケース部材１０，２０同士を締結させる際に、当該突出部１６を当該開口部２６に嵌合させ、かつ当該突出部１７を当該開口部２７に嵌合させることを容易にすることが出来る。
【００３７】
本実施の形態では、突出部１６，１７が第１ケース部材１０の長手方向に延伸した状態で突出して設けられ、これに対応して開口部２６，２７が第１ケース部材１０の長手方向に延伸された溝状に開けられているので、当該延伸方向において突出部１６，１７の一部が開口部２６，２７から外れても他の部分が開口部２６，２７に残る可能性を向上させることができ、上記変形態様においても、更に突出部１６，１７を開口部２６，２７から抜け難くすることができる。
【００３８】
＜他のバリエーション＞
図３（ｃ）を用いて、以下、実施の形態１におけるパック電池の他のバリエーションを説明する。
当該バリエーションでは、第１ケース部材１０の突出部１６，１７および第２ケース部材２０の開口部２６，２７に特徴があり、その他の構成は、上述した構成と同様であるので、その他の構成についてはここでの説明を省略する。
【００３９】
図３（ｃ）に示すように、当該バリエーションでは、第１ケース部材１０の長手方向に伸びる側壁の短手方向において、突出部１６，１７それぞれの当該側壁主面からの突出量および当該突出部１６，１７それぞれの裾の長さＬ１６，Ｌ１７を置換しており、かつ開口部２６，２７それぞれの開口長さＤ２６，Ｄ２７の大きさも置換している。
具体的には、当該短手方向において、当該側壁端部１４の基側に配された突出部１７の当該突出量に比べて当該側壁端部１４の先端側に配された突出部１６のそれが大きく、かつ当該突出部１７の裾の長さＬ１７に比べて当該突出部１６の裾の長さＬ１６が大きく、そして当該壁部２５の基側に設けられた開口部２６の開口長さＤ２６が当該壁部２５の先端側に設けられた開口部２７の開口長さＤ２７に比べて大きい。
【００４０】
当該バリエーションのように当該突出部１６，１７の突出量および裾の長さＬ１６，Ｌ１７ならびに当該開口部２６，２７の開口長さＤ２６，Ｄ２７の大小関係を付与すると、上記変形態様を想定したとき、更に変形が進行しても突出部１６が開口部２６から抜けない状況を作り出すことができる。
すなわち、当該バリエーションでは、ケース５０の短手方向に切断された断面を想像するとき、第１ケース部材１０、第２ケース部材２０それぞれの底側の無限遠に存在することが想像可能な中心点を基準に、それぞれの長手方向に伸びる側壁が当該想像断面上を回転するようにさらに大きく変形しても、具体的には回転角がさらに大きくなるように変形しても、第１ケース部材１０の側壁端部１４の先端側に配された突出部１６が第２ケース部材２０の壁部２５の基側に設けられた開口部２６から抜けない状況を作り出すことができる。
【００４１】
別言すると、当該バリエーションのように、ケース５０の短手方向に並ぶ２つの突出部１６，１７において、第１ケース部材１０の側壁端部１４の先端側に配された突出部１６の当該側壁主面からの突出量を、側壁端部１４の基側の突出部１７のそれより大きくし、なおかつ第１ケース部材１０の短手方向において突出部１６の裾の長さＬ１６を突出部１７の裾の長さＬ１７に比べて大きくし、その大きさに対応させて突出部１６が確実に嵌合するように第２ケース部材２０の壁部２５の基側に設けられた開口部２６の開口長さＤ２６を開口部２７の開口長さＤ２７に比べて大きくすると、当該側壁を上記無限遠の中心を軸として回転させる角度をさらに大きくしなければ、２つの突出部１６，１７が完全に抜けないからである。
【００４２】
《実施の形態１におけるパック電池の効果》
本実施の形態におけるパック電池では、第１ケース部材１０の長手方向に伸びる側壁の内主面に沿って、その短手方向に並ぶように２つの突出部１６，１７を設け、かつ当該側壁端部１４の基側に配された突出部１７の突出量を、当該側壁端部１４の先端側に配された突出部１６のそれより大きくなるように並設させたので、既述した変形態様を想定したとき、第１ケース部材１０の側壁端部１４の先端側に配された突出部１６がそれまでに嵌合していた開口部２６から抜けても、第１ケース部材１０の側壁端部１４の基側の突出部１７が嵌合していた開口部２７に確実に嵌合し、そこから抜け難くなる。
【００４３】
したがって、本実施の形態におけるパック電池では、いわゆる爪嵌合手段という簡易な締結手段を維持しながら、第１ケース部材１０と第２ケース部材２０との締結が解けることを抑制することができる。
本実施の形態では、第１ケース部材１０の側壁端部１４の先端側に配された突出部１６が位置決め機能を有しており、これとは別に第１ケース部材１０の側壁端部１４の基側に突出部１７を、突出部１６の突出量より大きくなるように設けたので、既述の変形態様を想定したとき、変形量が、具体的には変形角度が増大しても、突出部１６を開口部２６から抜け難くすることができ、第１ケース部材１０と第２ケース部材２０との締結が解けることをさらに抑制することができる。
【００４４】
また、本実施の形態では、第１ケース部材１０の短手方向において、突出部１６の裾の長さＬ１６を突出部１７の裾の長さＬ１７と比べて大きくし、これに対応させて、開口部２７の開口長さＤ２７を開口部２６の開口長さＤ２６と比べて大きくしたので、寸法公差を可能な限り小さくできるように突出部１６の大きさを設定することができるとともに、上記抜け防止手段を付加できるように突出部１７の大きさを設定することができる。
【００４５】
そして、本実施の形態では、第１ケース部材１０の短手方向において、突出部１６の輪郭を突出部１７のそれと相似形にしているので、それぞれの頂から裾に至るまでの傾斜面と側壁端部１４との間の角度を同等にすることができ、突出部１７の突出量を突出部１６のそれと比べて大きくしても、第１ケース部材１０と第２ケース部材２０とを締結させる際に、突出部１６の当該輪郭と突出部１７のそれとが相似形でない場合と比べて、突出部１７を開口部２７に嵌合させることが容易になる。
【００４６】
もちろん、突出部１６と突出部１７とを対比したときに、当該傾斜面と側壁端部１４との間の角度が同等でなく、異なっていても、その角度が９０［°］未満であって嵌合容易な角度であればよい。
本実施の形態では、側壁端部１４においてその先端側に配された突出部１６がその基部側に配された突出部１７と比べてその突出量が小さいので、側壁端部１４を嵌入させる際に突出部１６，１７を開口部２６，２７に容易に嵌合させることができる。
【００４７】
これに対して、本実施の形態における他のバリエーションでは、既述のとおり、突出部１６が開口部２６から抜けにくくすることができるので、第１ケース部材１０と第２ケース部材２０との締結をさらに解け難くすることができ、好ましい。
（実施の形態２）
図４（ａ）は、本実施の形態において図２（ｂ）のＢ領域を拡大した概略断面図であり、同図（ｂ）は、本実施の形態において図２（ｂ）のＢ領域でのケース５０の変形状態を想定したときの概略拡大断面図である。
【００４８】
本実施の形態では、第１ケース部材１０の突出部１６，１８および第２ケース部材２０の開口部２６，２８に特徴があり、その他の構成は、上述した構成と同様であるので、その他の構成についてはここでの説明を省略する。
図４（ｂ）に示すように、本実施の形態では、第１ケース部材１０の長手方向に伸びる側壁において、その側壁端部１４が第２ケース部材２０の溝部２４に嵌入する方向にずれるように、突出部１６，１８が、異なる主面に１つずつ設けられ、それぞれ正反対の方向に突出するように設けられて、当該嵌入方向に２つ並設されている。
【００４９】
そして、並設された突出部１６，１８が嵌合する開口部２６，２８が、当該嵌入方向においてそれぞれ第２ケース部材２０の側壁と壁部２５とに１つずつ設けられている。
上述したように、ケース５０のさまざまな変形態様のうち上述した変形態様が最も頻繁に起こると考えられる。
すなわち、ちょうど図３（ｂ）で示したように、第１ケース部材１０の長手方向の側壁が第２ケース部材２０の長手方向の側壁をケース５０外方に向けて押すような変形がケース５０において最も多発すると考えられる。
【００５０】
本実施の形態では、かかる変形態様が生じたとき、第１ケース部材１０の側壁外側の突出部１８が第２ケース部材２０の側壁に設けられた開口部２８に押圧されて、確実に嵌合する状態となるので、当該突出部１８が抜けにくい状況を作り出すことができる。
実施の形態２では、実施の形態１ならびにその他のバリエーションで示した、突出量の小さいほうの突出部１６（１７）、すなわち位置決め機能を有する突出部と同様の突出量となるように、２つの突出部１６，１８を設けているが、突出量はこれに限定されず、実施の形態１ならびにその他のバリエーションで示した、突出量の大きいほうの突出部１７（１６）と同等の突出量になるようにこれら２つの突出部１６，１８のそれを設定しても良く、また、実施の形態１ならびにその他のバリエーションで示したように、これら２つの突出部１６，１８に対して突出量の大小関係を付与しても良い。
【００５１】
また、位置関係についても、これら２つの突出部１６，１８が、双方とも第１ケース部材１０の側壁端部１４の先端側に配設されていても良く、さらには、双方とも第１ケース部材１０の側壁端部１４での基側に配設されていても良い。
《実施の形態２におけるパック電池１の効果》
本実施の形態では、第１ケース部材１０の長手方向に伸びる側壁において、その側壁端部１４が第２ケース部材２０の溝部２４に嵌入する方向にずれるように、突出部１６，１８を、異なる主面に１つずつ設け、それぞれ正反対の方向に突出するように設けて、当該嵌入方向に２つ並設したので、既述の変形態様を想定したとき、第１ケース部材１０の側壁端部１４のうち外側面に設けられ、その基側に配された突出部１８が第２ケース部材２０の側壁に設けられた開口部２８に押圧されて、確実に嵌合する状態となるので、当該突出部１８が当該開口部２８から抜け難くなる。
【００５２】
したがって、本実施の形態におけるパック電池では、従来のパック電池に比べて、いわゆる爪嵌合手段という簡易な締結手段を維持しながら、第１ケース部材１０と第２ケース部材２０との締結が解けることを抑制することができる。
本実施の形態では、第１ケース部材１０の側壁端部１４の先端側に配された突出部１６とその基側に配された突出部１８とを、同等の突出量で、具体的には、位置決め機能を発揮できる突出量で、設けているので、両者を同等の加工精度で作製することができ、実施の形態１に比べて、量産性を向上させ、歩留まりを向上させることができる。
【００５３】
本実施の形態では、位置決め機能を発揮できる突出量で、かつ同等の突出量で突出部１６，１８それぞれを当該嵌入方向にずれるように、側壁端部１４の異なる主面に配したので、突出量をそのままに突出部１６，１８をそれぞれ側壁端部１４の異なる主面の先端側に配した場合と比べて、当該嵌入の際に、第２ケース部材２０の側壁と壁部２５とを押し広げる量が小さくても突出部１６，１８を開口部２６，２８に容易に嵌合させることができ、そのうえ、突出量をそのままに当該突出部１６，１８をそれぞれ側壁端部１４の異なる主面の基側に配すると、当該嵌入の際に第２ケース部材２０の側壁と壁部２５とを押し広げる量がさらに小さくても、突出部１６，１８を開口部２６．２８にさらに容易に嵌合させることができる。
【００５４】
（実施の形態３）
図５は、実施の形態３において図２（ｂ）のＢ領域を拡大した概略断面図である。
本実施の形態では、第１ケース部材１０の突出部１６，１７，１８および第２ケース部材２０の開口部２６，２７，２８に特徴があり、その他の構成は、上述した構成と同様であるので、その他の構成についてはここでの説明を省略する。
【００５５】
実施の形態３では、図５に示すように、第１ケース部材１０の長手方向に伸びる側壁の側壁端部１４において、その同一側面上の短手方向に２つの突出部１６，１７が設けられており、さらに他の側面上に１つの突出部１８が設けられている。
すなわち、本実施の形態では、第１ケース部材１０の長手方向に伸びる側壁において、その両側面のそれぞれに突出部１６，１７，１８が配設されている。
【００５６】
具体的には、第１ケース部材１０の長手方向に伸びる側壁の側壁端部１４において、その内側主面では、その先端側に突出部１６が、位置決め機能を発揮する突出量で、配され、かつその基側に当該突出部１６よりもその突出量が大きくなるように突出部１７が配されており、さらに当該突出部１７の配設位置と対応させて外側主面の基側に当該突出部１７と同等の突出量で突出部１８が配されている。
【００５７】
当該構成を採用すると、既述の変形態様を想定したとき、当該突出部１６がそれまで嵌合していた開口部２６から抜けても、当該突出部１７が開口部２７から抜け難くすることができ、なおかつ、当該突出部１８が、開口部２８に押圧され、確実に嵌合する状態にすることができる。
実施の形態３では、ケース５０をその短手方向に切断した仮想断面を想定するとき、ケース５０の長手方向に伸びる側壁の側壁端部１４において、当該仮想断面上を通る当該側壁の仮想中心軸を基準に線対称の位置で、その内側主面の基側に配された突出部１７と対応させてその外側主面に突出部１８が設けられているが、当該配設位置に限定されず、当該側壁端部１４の内側主面において先端側に配された突出部１６と対応する外側主面に突出部１８が配設されていても良い。
【００５８】
また、当該側壁端部１４の基側の外側主面に配された突出部１８の当該主面からの突出量は、対応する内側主面に配された突出部１７と同様の大きさになるように設けられているが、その大きさに限定されず、当該内側主面の先端側に配された突出部１６のそれと同様であっても良い。
さらに、第１ケース部材１０の側壁端部１４の外側主面に突出部１８のほかに突出部が設けられていても良い。
【００５９】
《実施の形態３におけるパック電池１の効果》
本実施の形態では、第１ケース部材１０の長手方向に伸びる側壁において、その側壁端部１４の内側主面のうち、先端側に配された突出部１６の突出量に比べて、基側に配された突出部１７のそれが大きくなるように配したので、既述の変形態様を想定したとき、突出部１６がそれまで嵌合していた開口部２６から抜けても、当該突出部１７が開口部２７から抜け難くすることができる。
【００６０】
その上、本実施の形態では、第１ケース部材１０の長手方向に伸びる側壁において、その側壁端部１４の外側主面にも突出部１８が配されているので、上記変形態様を想定したとき、当該突出部１８が開口部２８に押圧され、確実に嵌合する状態になる。
したがって、本実施の形態では、従来のパック電池に比べて、いわゆる爪嵌合手段という簡易な締結手段を維持しながら、第１ケース部材１０と第２ケース部材２０との締結が解けることを抑制することができ、また、実施の形態１，２に比べて、その抑制効果を向上させることができる。
【００６１】
＜その他＞
上記いずれの実施の形態においても、突出部１６，１７，１８と嵌合する相手は、開口部２６，２７，２８であったが、これに限定されず、嵌合できる限度に凹む、受部であっても良い。
上記いずれの実施の形態においても、第１のケース部材１０側に突出部のみが配され、第２のケース部材側に開口部のみが配されていたが、これに限定されず、例えば、第１のケース部材１０側に受部、突出部がそれぞれ設けられ、これらと嵌合関係を形成できるように第２ケース部材２０側に受部、突出部をそれぞれ設けても良い。
【００６２】
実施の形態１では、第１ケース部材１０の側壁端部１４が第２ケース部材２０の溝部２４に嵌入していたが、これに限定されず、第１ケース部材１０の側壁と第２ケース部材２０の側壁とで互いに嵌め合わせ、それら側壁同士の対向主面において、互いに嵌合する受部、突出部を設けても良い。例えば、第１ケース部材１０の側壁が第２ケース部材２０の側壁に対して内接するように嵌め合わされ、第２ケース部材２０の側壁の内側主面においてその短手方向に受部が並設されており、第１ケース部材１０の側壁の外側主面においてその短手方向に、当該受部と嵌合する突出部が並設されていても良く、また、第１ケース部材１０の側壁が第２ケース部材２０の側壁に対してその外側に接するように嵌め合わされていても良い。もちろん受部、突出部の配設関係が逆転していてもよく、一方のケース部材に受部、突出部が設けられていてもよい。
【００６３】
上記いずれの実施の形態においても、ケース５０が長手方向に２分割されたものを一例にして説明したが、これに限定されず、その短手方向に２分割されたものに対しても、本発明を適用できる。
上記実施の形態では、組を成す突出部、受部が２組あるいは３組の場合を一例にして説明したが、これに限定されず、３組以上配しても良い。
【００６４】
上記各実施の形態では、第１ケース部材１０の側壁端部１４の側面と第２ケース部材２０の側壁あるいは壁部２５の側面との間に凹凸を設けたが、これに限定されず、例えば、第１ケース部材１０の側壁の側面と第２ケース部材２０の側壁あるいは壁部２５の側面との間に凹凸を設けても良い。
突出部の形状は、上記各実施の形態で示した形状に限定されず、位置決め機能、抜け防止機能を発揮できる限度において他の形状であっても良い。
【産業上の利用可能性】
【００６５】
本発明は、大きい衝撃が加わるパック電池に好適である。例えば、電動アシスト自転車等に用いられるような大出力で重量の大きい二次電池を内包するパック電池のほか、人の頭部付近など、地面から高い位置での使用が想定される携帯機器に用いられる、小型・軽量性が要求されるパック電池、さらには、過酷な環境での使用が想定され、使用時において常に振動の加わる電動工具などに用いられるパック電池に好適であり、その産業上の利用可能性が非常に広く、且つ大きい。
【図面の簡単な説明】
【００６６】
【図１】実施の形態１におけるパック電池の概略分解図である。
【図２】（ａ）は、実施の形態１におけるパック電池の概略斜視図であり、（ｂ）は、（ａ）で示したＡ断面における概略拡大断面図である。
【図３】（ａ）は、実施の形態１において図２（ｂ）のＢ領域を拡大した概略断面図であり、（ｂ）は、実施の形態１において図２（ｂ）のＢ領域の変形状態を想定したときの概略拡大断面図であり、（ｃ）は、実施の形態１における他のバリエーションを示す概略拡大断面図である。
【図４】（ａ）は、実施の形態２において図２(ｂ)のＢ領域を拡大した概略断面図であり、（ｂ）は、実施の形態２において図２（ｂ）のＢ領域の変形状態を想定したときの概略拡大断面図である。
【図５】実施の形態３における図２(ｂ)のＢ領域を拡大した概略断面図である。
【符号の説明】
【００６７】
１                  パック電池
１０                第１ケース部材
１１，２１          ケース部材開口部
１４                側壁端部
１６，１７，１８    突出部
２０                第２ケース部材
２２                隔壁
２３                第２の開口部
２４                溝部
２５                壁部
２６，２７，２８    開口部
３０                二次電池
４０                基板
４１                コネクタ
５０                ケース
【図１】
2007311301.tif 000003
【図２】
2007311301.tif 000004
【図３】
2007311301.tif 000005
【図４】
2007311301.tif 000006
【図５】
2007311301.tif 000007